(57)【特許請求の範囲】
【請求項１】
光源と、
前記光源からの光を変調し、変調した光を出射する光学系と、
前記光学系から出射された光を拡大投写するための投写部と、
前記光源、光学系および投写部が収容されるキャビネットと、
前記光学系を構成する光学部品または前記光源を出し入れするために、前記キャビネットの一面に形成された開口と、
前記開口を覆うカバーと、
を備えた投写型表示装置において、
前記開口は、前記光学部品および前記光源の一方を出し入れするための第１の開口と、
他方を出し入れするための第２の開口を含み、
前記カバーは、前記第１の開口を覆う第１のカバーと、前記２の開口を覆う第２のカバーとを含み、
前記第１のカバーと前記第２のカバーとはスライド自在に構成されていると共に、並べて配され、
前記第１のカバーは、前記第１の開口を閉鎖する閉鎖位置で保持されると共に、前記第１の開口を閉鎖する閉鎖位置から前記第２のカバーの方向とは異なる方向に所定の位置までスライドさせたときに、前記一面から離れる方向に回転して保持され、
前記第２のカバーは、前記第２の開口を閉鎖する閉鎖位置で保持されると共に、前記第１のカバーの前記閉鎖位置までスライドさせたときに、前記第１のカバーの前記閉鎖位置で保持されるように構成されている、
ことを特徴とする投写型表示装置。
【請求項２】
請求項１に記載の投写型表示装置において、
前記第１の開口が前記光源を出し入れするための開口とされ、前記第２の開口が前記光学部品を出し入れするための開口とされる、
ことを特徴する投写型表示装置。
【発明の詳細な説明】
【技術分野】
【０００１】
本発明は、光源からの光を変調し、変調した光を拡大投写する投写型表示装置に関する。
【背景技術】
【０００２】
一般に、液晶プロジェクタ等の投写型表示装置では、光源として、メタルハライドランプや、高圧水銀ランプ等のランプが用いられている。これらのランプは、長時間の運転によって劣化する。劣化により適正な輝度が得られなくなった場合には、ランプを新しいものに交換する必要がある。
【０００３】
従来、投写型表示装置では、キャビネットを分解しなくても光源が交換できるよう、キャビネットに光源を出し入れできる開口が設けられている。この開口は、カバーによって開閉される（特許文献１参照）。
【先行技術文献】
【特許文献】
【０００４】
【特許文献１】特開２００４−２５２４７３号公報
【発明の概要】
【発明が解決しようとする課題】
【０００５】
特許文献１の投写型表示装置では、カバーがキャビネットから完全に取り外される。この場合、取り外したカバーを、光源の交換に支障のない場所に置くなどしなければならず、手間がかかる。そこで、キャビネットに取り付けられたままカバーが開放できるよう、たとえば、カバーをキャビネットにヒンジで結合する構成が考えられる。
【０００６】
しかしながら、かかる構成では、カバーが配された面の外側にスペースがあまりないと、十分にカバーが開放せず、カバーが邪魔になって光源が出し入れしにくくなる惧れがある。
【０００７】
なお、投写型表示装置では、光源以外の光学部品が取り換えられる場面が想定され得る。よって、光源に限らず、このような光学部品についても、容易に交換できるようにするのが望ましい。
【０００８】
本発明は、かかる課題を解消するためになされたものであり、光源や他の光学部品の交換を容易に行うことができ、メンテナンス性を向上させることができる投写型表示装置を提供することを目的とする。
【課題を解決するための手段】
【０００９】
本発明の投写型表示装置は、光源と、前記光源からの光を変調し、変調した光を出射する光学系と、前記光学系から出射された光を拡大投写するための投写部と、前記光源、光学系および投写部が収容されるキャビネットと、前記光学系を構成する光学部品または前記光源を出し入れするために、前記キャビネットの一面に形成された開口と、前記開口を覆うカバーとを備えた投写型表示装置において、前記開口は、前記光学部品および前記光源の一方を出し入れするための第１の開口と、他方を出し入れするための第２の開口を含み、前記カバーは、前記第１の開口を覆う第１のカバーと、前記２の開口を覆う第２のカバーとを含み、前記第１のカバーと前記第２のカバーとはスライド自在に構成されていると共に、並べて配され、前記第１のカバーは、前記第１の開口を閉鎖する閉鎖位置で保持されると共に、前記第１の開口を閉鎖する閉鎖位置から前記第２のカバーの方向とは異なる方向に所定の位置までスライドさせたときに、前記一面から離れる方向に回転して保持され、前記第２のカバーは、前記第２の開口を閉鎖する閉鎖位置で保持されると共に、前記第１のカバーの前記閉鎖位置までスライドさせたときに、前記第１のカバーの前記閉鎖位置で保持されるように構成されている。
【００１０】
本発明の構成によれば、カバーをスライドすることにより、開口を開放することができる。よって、プロジェクタを設置したときに、前記カバーの外側にできるスペースが小さくても、開口を十分に開放することができる。
【００１１】
本発明の投写型表示装置において、前記第１の開口が前記光源を出し入れするための開口とされ、前記第２の開口が前記光学部品を出し入れするための開口とされ得る。
【発明の効果】
【００１９】
以上のとおり、本発明によれば、光源や他の光学部品の交換を容易に行うことができ、メンテナンス性を向上させることができる投写型表示装置を提供することができる。
【００２０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係るプロジェクタの構成を示す図である。
【図２】実施の形態に係るプロジェクタの内部構造を示す図である。
【図３】実施の形態に係る光学系の構成を示す図である。
【図４】実施の形態に係るプリズムユニットの構成を示す図である。
【図５】実施の形態に係るプリズムユニットが装着される取付フレームの構成を示す図である。
【図６】実施の形態に係るプリズムユニットが取付フレームに固定された状態を示す図である。
【図７】実施の形態に係る光学系の冷却装置の構成を示す図である。
【図８】実施の形態に係る上部ケーシングおよび第１から第３ダクトの構成を示す図である。
【図９】実施の形態に係る下部ケーシングおよび第４から第６ダクトの構成を示す図である。
【図１０】実施の形態に係るランプユニットの後方から見た斜視縦断面図およびランプユニットの前方から見た斜視横断面図である。
【図１１】実施の形態に係るランプユニット１３の前方から見た斜視図である。
【図１２】実施の形態に係るランプユニットの左側面図および背面図である。
【図１３】実施の形態に係るランプユニットの上面図および底面図である。
【図１４】実施の形態に係るランプユニットにファンユニットが接続された状態を示す正面図である。
【図１５】実施の形態に係るプリズム用カバーおよびランプ用カバーを外した状態の上キャビネットの斜視図である。
【図１６】実施の形態に係るプリズム用カバーの構成を示す図である。
【図１７】実施の形態に係るランプ用カバーの構成を示す図である。
【図１８】実施の形態に係る上キャビネットにプリズム用カバーおよびランプ用カバーが装着された状態の要部の断面図である。
【図１９】実施の形態に係るランプ用カバーが開けられた状態を示す図である。
【図２０】実施の形態に係るランプ用カバーが開けられた際のランプ用カバーの動きについて説明するための要部の断面図である。
【図２１】実施の形態に係るプリズム用カバーが開けられた状態を示す図である。
【発明を実施するための形態】
【００２２】
以下、図面を参照して、本発明の実施の形態について説明する。
【００２３】
＜プロジェクタの全体構成＞
図１は、プロジェクタの構成を示す図である。図１（ａ）は、前方から見たプロジェクタの斜視図であり、図１（ｂ）は後方から見たプロジェクタの斜視図である。
【００２４】
図１を参照して、プロジェクタは、左右方向に長い略直方体形状を有するキャビネット１を備えている。キャビネット１は、上面が開放された下キャビネット２と、下キャビネット２の上面を覆う上キャビネット３とで構成されている。
【００２５】
下キャビネット２の前面中央部には投写口４が形成されており、投写口４から投写レンズ５の前部が露出している。
【００２６】
下キャビネット２の左側面は、前端部および後端部を除いて吸気口カバー６により構成されている。吸気口カバー６は、その下端部にヒンジ構造（図示ぜず）を有し、下端部を支点にして左方向に開放する（図２参照）。吸気口カバー６には、吸気口７が形成されている。吸気口７は、多数のスリット状の孔によって構成されている。
【００２７】
下キャビネット２の右後ろのコーナーには、排気口８が形成されている。排気口８は、多数のスリット状の孔によって構成されている。下キャビネット２の後面には、ＡＶ端子部９が設けられており、ＡＶ端子部９からＡＶ（Audio Visual）信号が入力される。
【００２８】
上キャビネット３は、プリズム用カバー１０とランプ用カバー１１とを備えている。プリズム用カバー１０は、プリズムユニットの交換や偏光板等を調整するために上キャビネット３に形成されたプリズム用開口を覆うためのカバーである。ランプ用カバー１１は、ランプユニットを交換するために上キャビネット３に形成されたランプ用開口を覆うためのカバーである。プリズム用カバー１０およびランプカバー１１の上面と上キャビネット３の上面は面一となっている。これらプリズム用カバー１０およびランプ用カバー１１の上キャビネット３への取付構造については追って説明する。
【００２９】
上キャビネット３には、右側前端部にインジケータ部１２が設けられている。インジケータ部１２は、複数のＬＥＤを備えている。各ＬＥＤの点灯状態によって、プロジェクタが運転中であるかスタンバイ状態であるかが報知されたり、各種のエラー状態が報知されたりする。たとえば、ランプユニットの交換時期になったことも、インジケータ部１２によって報知され得る。
【００３０】
図２は、プロジェクタの内部構造を示す図である。図２（ａ）は、上キャビネット３を外した状態のプロジェクタの斜視図である。図２（ｂ）は、図２（ａ）の状態から、制御基板２６、ＡＶ端子部９および吸気口部材２２を外した状態のプロジェクタの斜視図である。
【００３１】
図２（ｂ）を参照して、下キャビネット２の内部には、ランプユニット１３と、ランプユニット１３からの光を変調して映像光を生成する光学系１４とが配されている。
【００３２】
ランプユニット１３は、下キャビネット２の右側面側の中央部に、上方から着脱できるように配されている。ランプユニット１３は、光源ランプ３００と、光源ランプ３００を保持するランプホルダ４００とにより構成されている（図１０参照）。ランプユニット１３の前方には、ファンユニット１５が配されている。ファンユニット１５は、送風によって光源ランプ３００を冷却する。ランプホルダ４００には、ファンユニット１５からの冷却風を光源ランプ３００へ導くための通風ダクトが設けられている。なお、ランプユニット１３の詳細な構成については追って説明する。
【００３３】
光学系１４は、ランプユニット１３の左方であって、下キャビネット２の中央部に配されている。光学系１４は、プリズムユニット１６を含む。プリズムユニット１６は、上方から着脱ができるように、下キャビネット２内に配されている。なお、光学系１４の詳細な構成については追って説明する。
【００３４】
光学系１４の前方には、レンズシフトユニット１７が配されている。レンズシフトユニット１７には、投写レンズ５が装着されている。投写レンズ５は、光学系１４により生成された映像光を拡大し、スクリーン等の被投写面に投写する。レンズシフトユニット１７は、モータの駆動力を用いて投写レンズ５を上下方向および左右方向にシフトさせる。これにより、投写画面の位置調整を行うことができる。
【００３５】
光学系１４の後方には、電源ユニット１８が配されている。電源ユニット１８は、電源回路を備えており、プロジェクタの各電装部品に電源の供給を行う。電源ユニット１８の上部には、ランプバラスト１９が配されている。ランプバラスト１９は、電源ユニット１８から供給された電源を光源ランプ３００に適する電源に変換し、光源ランプ３００に供給する。
【００３６】
下キャビネット２の内部には、さらに、冷却装置２０が配されている。冷却装置２０は、６つの冷却ファンを有し、吸気口７から吸い込んだ外部空気をプリズムユニット１６等、光学系１４の発熱部品に供給してこれらを冷却する。冷却装置２０の詳細な構成については、追って説明する。
【００３７】
電源ユニット１８およびランプバラスト１９の左方には、電源用冷却ファン２１が配されている。電源用冷却ファン２１は、電源ユニット１８およびランプバラスト１９に送風してこれらを冷却する。電源用冷却ファン２１には、たとえば、軸流ファンが用いられている。
【００３８】
次に、図２（ａ）を参照して、下キャビネット２の左側面部には、吸気口部材２２が装着されている。吸気口部材２２は、枠部材２３と、枠部材２３に装着されたフィルタ部材２４とで構成されている。枠部材２３には、フィルタ部材２４と対向する面に吸気口（図示せず）が形成されている。フィルタ部材２４は、吸気口カバー６により覆われる。フィルタ部材２４を交換する際には、吸気口カバー６が開放されてフィルタ部材２４が枠部材２３から取り外される。
【００３９】
なお、吸気口部材２２において、フィルタ部材２４よりも下流側には、風速センサ（図示せず）が配されている。この風速センサにより検出される風速に基づいて、フィルタ部材２４の目詰まりが判断され、インジケータ部１２等により目詰まり報知がなされる。
【００４０】
ランプユニット１３、冷却装置２０、電源用冷却ファン２１等が稼働すると、外部空気が、吸気口カバー６の吸気口７、フィルタ部材２４、枠部材２３の吸気口を通って吸気される。
【００４１】
下キャビネット２の右後ろのコーナーには、排気ファン２５が配されている。排気ファン２５は、下キャビネット２の右側面および後面に対して斜め向きに配されており、その吸気面が左斜め前方を向いている。排気ファン２５には、たとえば、軸流ファンが用いられている。
【００４２】
排気ファン２５が稼働すると、図２（ｂ）に示すように、左側面の方向からは、電源ユニット１８およびランプバラスト１９を冷却した冷却風が排気ファン２５に吸い込まれるとともに、前面の方向からは、光源ランプ３００を冷却し、ランプユニット１３から出た冷却風が排気ファン２５に吸い込まれる。また、左斜め前方からは、光学系１４を冷却した冷却風が排気ファン２５に吸い込まれる。このとき、排気ファン２５の吸気面は左斜め前方を向いているので、ランプユニット１３側、電源ユニット１８側、光学系１４側からの三方の冷却風が排気ファン２５に吸い込まれやすい。よって、各発熱部品を冷却した後の冷却風を円滑に外部に排出でき、これら発熱部品を良好に冷却できる。
【００４３】
また、吸気口７は、排気ファン２５とは反対の側面（左側面）に形成されているので、吸気口７から吸い込まれた外部空気が、ランプユニット１３、電源ユニット１３および光学系１４の冷却に十分に利用された後に、排気ファン２５に吸い込まれる。このため、これら発熱部品を、一層良好に冷却できる。
【００４４】
さらに、上記三方からの冷却風は、排気ファン２５から出た後すぐに外部に排出されるのではなく、排気ファン２５の排気面と下キャビネット２のコーナーとの間の空間において良く混合された後に排出される。光源ランプ３００は、電源ユニット１８等に比べてはるかに高温となるため、ランプユニット１３側からの冷却風は、他の方向からの冷却風に比べてはるかに高温となる。しかし、上記のように、ランプユニット１３側から排気ファン２５に吸い込まれた冷却風は、他の方向からの冷却風と良く混合された後に排出されるので、排気温度の低下を図ることができる。
【００４５】
また、排気ファン２５を斜めに配することにより、下キャビネット２のコーナーとランプユニット１３と電源ユニット１８とで囲まれた、限られた空間の中に、できる限り大きなサイズの排気ファンを配することができる。
【００４６】
また、排気口８が下キャビネット２のコーナーに形成されているため、排気口８の開口面積を大きくすることができる。よって、より円滑な排気を行うことができる。
【００４７】
なお、排気ファン２５は、下キャビネット２内の各構成部品の配置によっては、右後ろのコーナーではなく、他のコーナーに配され得る。
【００４８】
図２（ａ）に示すように、光学系１４および電源ユニット１８の上方には、制御基板２６が配される。制御基板２６には、液晶パネル、光源ランプ３００等の各駆動部品を制御するための制御回路が備えられている。プリズムユニット１６の上方は、制御基板２６が切欠かれている。これにより、制御基板２６が装着された状態で、プリズムユニット１６が上方から着脱できる。
【００４９】
＜光学系の構成＞
図３は光学系１４の構成を示す図である。
【００５０】
光源ランプ３００から出射された白色光は、コンデンサレンズ１０１、フライアイインテグレータ１０２、ＰＢＳアレイ１０３を通過する。フライアイインテグレータ１０２は、液晶パネル（後述する）に照射される各色光の光量分布を均一化させ、ＰＢＳアレイ１０３は、ダイクロイックミラー１０５に向かう光の偏光方向を一方向に揃える。
【００５１】
ＰＢＳアレイ１０３を通過した光は、コンデンサレンズ１０４を通過してダイクロイックミラー１０５に入射する。
【００５２】
ダイクロイックミラー１０５は、入射した光のうち、青色波長帯の光（以下、「Ｂ光」という）のみを反射し、緑色波長帯の光（以下、「Ｇ光」という）と赤色波長帯の光（以下、「Ｒ光」という）を透過する。
【００５３】
ダイクロイックミラー１０５により反射されたＢ光は、コンデンサレンズ１０４、１０６によるレンズ作用と反射ミラー１０７による反射によって、適正な照射状態にて青色用の液晶パネル１０８に照射される。液晶パネル１０８は、青色用の映像信号に応じて駆動され、その駆動状態に応じてＢ光を変調する。なお、液晶パネル１０８の入射側には１枚の入射側偏光板１０９が配されており、入射側偏光板１０９を介して液晶パネル１０８にＢ光が照射される。また、液晶パネル１０８の出射側には２枚の出射側偏光板１１０が配されており、液晶パネル１０８から出射されたＢ光が出射側偏光板１１０に入射する。
【００５４】
ダイクロイックミラー１０５を透過したＧ光およびＲ光は、ダイクロイックミラー１１１に入射する。ダイクロイックミラー１１１は、Ｇ光を反射するとともにＲ光を透過する。
【００５５】
ダイクロイックミラー１１１により反射されたＧ光は、コンデンサレンズ１０４、１１２によるレンズ作用によって、適正な照射状態にて緑色用の液晶パネル１１３に照射される。液晶パネル１１３は、緑色用の映像信号に応じて駆動され、その駆動状態に応じてＧ光を変調する。なお、液晶パネル１１３の入射側には１枚の入射側偏光板１１４が配されており、入射側偏光板１１４を介して液晶パネル１１３にＧ光が照射される。また、液晶パネル１１３の出射側には２枚の出射側偏光板１１５が配されており、液晶パネル１１３から出射されたＧ光が出射側偏光板１１５に入射する。
【００５６】
ダイクロイックミラー１１１を透過したＲ光は、コンデンサレンズ１０４、１１６およびリレーレンズ１１７、１１８によるレンズ作用と反射ミラー１１９、１２０による反射によって、適正な照射状態にて赤色用の液晶パネル１２１に照射される。液晶パネル１２１は、赤色用の映像信号に応じて駆動され、その駆動状態に応じてＲ光を変調する。なお、液晶パネル１２１の入射側には１枚の入射側偏光板１２２が配されており、入射側偏光板１２２を介して液晶パネル１２１にＲ光が照射される。また、液晶パネル１２１の出射側には２枚の出射側偏光板１２３が配されており、液晶パネル１２１から出射されたＲ光が出射側偏光板１２３に入射する。
【００５７】
液晶パネル１０８、１１３、１２１によって変調されたＢ光、Ｇ光、Ｒ光は、出射側偏光板１１０、１１５、１２３を通過してダイクロイックプリズム１２４に入射する。ダイクロイックプリズム１２４は、Ｂ光、Ｇ光およびＲ光のうち、Ｂ光とＲ光を反射するとともにＧ光を透過し、これにより、Ｂ光、Ｇ光およびＲ光を色合成する。こうして、色合成された映像光が、ダイクロイックプリズム１２４から投写レンズ５に向けて出射される。
【００５８】
なお、光学系１４を構成する光変調素子としては、上記透過型の液晶パネル１０８１１３、１２１の他、反射型の液晶パネルや、ＭＥＭＳデバイスを用いることもできる。また、光学系１４は、上記のように３つの光変調素子を備えた３板式の光学系ではなく、たとえば、１つの光変調素子とカラーホイールを用いた単板式の光学系により構成することもできる。
【００５９】
＜プリズムユニットの取付構造＞
図４は、プリズムユニット１６の構成を示す図である。図４（ａ）は、プリズムユニット１６の斜視図であり、図４（ｂ）は、プリズムユニット１６の底面図である。
【００６０】
プリズムユニット１６は、液晶パネル１０８、１１３、１２１、出射側偏光板１１０、１１５、１２３およびダイクロイックプリズム１２４が、プリズムホルダ１２５に組み付けられることによって、一つのユニットとして構成されている。なお、液晶パネル１０８、１１３、１２１は、ブラケット１２６を介してプリズムホルダ１２５に固定されている。
【００６１】
プリズムホルダ１２５の底部には、３か所に取付脚１２７が設けられている。各取付脚１２７には、取付孔１２８および位置決め穴１２９が形成されている。また、プリズムホルダ１２５の底面中央には、挿入穴１３０が形成されている。挿入穴１３０の入口部には、穴の内側に突出する環状の鍔部１３１が形成されている。
【００６２】
図５は、プリズムユニット１６が装着される取付フレーム１３２の構成を示す斜視図である。
【００６３】
下キャビネット２には、プリズムユニット１６が取り付けられる取付フレーム１３２が設けられている。取付フレーム１３２には、プリズムホルダ１２５の３つの取付孔１２８に対応する３つのボス部１３３が設けられている。また、取付フレーム１３２には、プリズムホルダ１２５の３つの位置決め穴１２９に対応する位置決め突起１３４が設けられている。さらに、取付フレーム１３２には、挿入穴１３０に対応する抜け止めピン１３５が設けられている。
【００６４】
図６（ａ）は、プリズムユニット１６が取付フレーム１３２に固定された状態を示す斜視図である。また、図６（ｂ）は、挿入穴１３０に抜け止めピン１３５が挿入された状態を示す要部の断面図である。
【００６５】
プリズムユニット１６は、各位置決め穴１２９が対応する位置決め突起１３４にはまり込むように、プリズムユニット１６が取付フレーム１３２に載置される。これにより、プリズムホルダ１２５の各取付孔１２８が、対応するボス部１３３に整合する。このとき、プリズムユニット１６の挿入穴１３０に抜け止めピン１３５が嵌り込む。こうして、プリズムホルダ１２５の取付脚１２７がボス部１３３にネジ止めされることにより、プリズムユニット１６が取付フレーム１３２に固定される。
【００６６】
図６（ｂ）に示すように、抜け止めピン１３５の先端部には、周方向に撓む引っ掛かり部１３６が形成されており、抜け止めピン１３５が挿入穴１３０に挿入されると、引っ掛かり部１３６が鍔部１３１に引っ掛かる。これにより、プリズムユニット１６の自重程度の力が抜ける方向に加わっても、抜け止めピン１３５が挿入穴１３０から抜けることがない。
【００６７】
プロジェクタの設置形態としては、床面や机上に置かれる設置形態（据置き設置）のほか、天井に吊られる設置形態（天吊り設置）がある。天吊り設置の場合、プロジェクタは上下逆さまの状態で設置される。
【００６８】
本実施の形態では、プロジェクタが天吊り設置されている場合に、ボス部１３３からネジを取り外しても、プリズムユニット１６が自重によって取付フレーム１３２から離脱してしまうことがない。したがって、プリズムユニット１６を交換する際、脱着作業を容易に行うことができる。
【００６９】
上記実施の形態では、取付フレーム１３２に、別部材である抜け止めピン１３５を固定するようにしている。しかし、これに限らず、引っ掛かり部１３６が形成された抜け止め部が取付フレーム１３２から突出されていれば良い。この場合、抜け止め部が取付フレーム１３２に一体形成されてもよい。
【００７０】
＜光学系の冷却装置の構成＞
図７から図９は、光学系１４の冷却装置２０の構成を示す図である。図７（ａ）、（ｂ）は、冷却装置２０の斜視図である。図７（ａ）には、便宜上、光学系１４の構成のうちプリズムユニット１６およびＰＢＳアレイ１０３のみが、冷却装置２０とともに示されている。また、図８（ａ）、（ｂ）は、上部ケーシング２０２と第１から第３ダクト２１０、２１１、２１２の上面図および底面図である。さらに、図９（ａ）、（ｂ）は、下部ケーシング２０３と第４から第６ダクト２１７、２１８、２１９の上面図および底面図である。
【００７１】
冷却装置２０は、ファンケーシング２０１を備えている。ファンケーシング２０１は、上部ケーシング２０２と下部ケーシング２０３とで構成されている。これらケーシング２０２、２０３は、後面および底面が開放している。下部ケーシング２０３は下キャビネット２の底面に装着され、下部ケーシング２０３の上に上部ケーシング２０２が装着される。
【００７２】
上部ケーシング２０２内は、２つの仕切壁２０２ａ、２０２ｂにより、３つの収容部（第１収容部２０４、第２収容部２０５および第３収容部２０６）に区画されている。また、下部ケーシング２０３内も、２つの仕切壁２０３ａ、２０３ｂにより、３つの収容部（第４収容部２０７、第５収容部２０８および第６収容部２０９）に区画されている。
【００７３】
上部ケーシング２０２の第１収容部２０４、第２収容部２０５および第３収容部２０６には、それぞれ第１ダクト２１０、第２ダクト２１１および第３ダクト２１２が接続されている。これらダクト２１０、２１１、２１２は、底面が開放した形状を有し、プリズムユニット１６の下方まで延びている。これら通風ダクト２１０、２１１、２１２は、樹脂材料によって上部ケーシング２０２と一体的に形成されている。
【００７４】
第１ダクト２１０の先端部には、吹出口２１３が形成されている。吹出口２１３は、緑色用の入射側偏光板１１４および液晶パネル１１３に向けられている。吹出口２１３の出口部分には、中央に仕切り２１３ａが形成されており、入射側偏光板１１４と液晶パネル１１３のそれぞれに冷却風が向いやすいようになされている。第２ダクト２１１の先端部には、吹出口２１４が形成されている。吹出口２１４は、緑色用の出射側偏光板１１５に向けられている。第３ダクト２１２の先端部には、２つの吹出口２１５、２１６が形成されている。吹出口２１５は、赤色用の入射側偏光板１２２および液晶パネル１２１に向けられており、吹出口２１６は、赤色用の出射側偏光板１２３に向けられている。
【００７５】
下部ケーシング２０３の第４収容部２０７、第５収容部２０８および第６収容部２０９には、それぞれ第４ダクト２１７、第５ダクト２１８および第６ダクト２１９が接続されている。これらダクト２１７、２１８、２１９は、底面が開放した形状を有し、第４ダクト２１７はＰＢＳアレイ１０３の下方まで延びており、第５、第６ダクト２１８、２１９は、プリズムユニット１６の下方まで延びている。これら通風ダクト２１７、２１８、２１９は、樹脂材料によって下部ケーシング２０３と一体的に形成されている。
【００７６】
第４ダクト２１７の先端部には、吹出口２２０が形成されている。吹出口２２０は、ＰＢＳアレイ１０３に向けられている。第５ダクト２１８の先端部には、吹出口２２１が形成されている。吹出口２２１は、青色用の入射側偏光板１０９および液晶パネル１０８に向けられている。第６ダクト２１９の先端には、吹出口２２２が形成されている。吹出口２２２は、青色用の出射側偏光板１１０に向けられている。なお、ＰＢＳアレイ１０３用の吹出口２２０の隣にはもう一つ吹出口２２３が形成されている。吹出口２２３は冷却装置２０とは別の冷却ファン(図示せず)に繋がっており、その冷却ファンからの冷却風が吹出口２２３から吹き出される。また、吹出口２２０、２２３の出口には、ＰＢＳアレイ１０３に風が向かいやすくなるように、風向板２２０ａが設けられている。
【００７７】
第４、第５および第６ダクト２１７、２１８、２１９の上面には、図９（ａ）に示すように、第１、第２および第３ダクト２１０、２１１、２１２に対応する底面部材２１０ｂ、２１１ｂ、２１２ｂが一体的に形成されている。上部ケーシング２０２が下部ケーシング２０３に装着されると、第１、第２および第３ダクト２１０、２１１、２１２の底面が各底面部材２１０ｂ、２１１ｂ、２１２ｂにより閉塞され、密閉構造の通風ダクトが完成する。一方、第４、第５および第６ダクト２１７、２１８、２１９の底面は、下部ケーシング２０２が下キャビネット２に装着されると、下キャビネット２に一体的に形成された底部材（図示せず）によって閉塞され、密閉構造の通風ダクトが完成する。
【００７８】
ファンケーシング２０１の第１から第６収容室２０４〜２０９には、それぞれ、冷却ファン（第１から第６ファン２２４〜２２９）が配されている。各冷却ファン２２４〜２２９の吹出口２２４ａ〜２２９ａは、図８（ｂ）、図９（ｂ）に示すように、対応する通風ダクト２１０〜２１２、２１７〜２１９の入口２１０ａ〜２１２ａ、２１７ａ〜２１９ａに接続されている。各冷却ファン２２４〜２２９は、同じ性能を有する両面吸込み型の遠心ファンであり、その吸気口２２４ｂ〜２２９ｂが両端面に形成されている。
【００７９】
第１ファン２２４、第２ファン２２５および第３ファン２２６は、下部ケーシング２０３の上面に設けられた取付ボス２３０にネジ止め固定されている。また、第４ファン２２７、第５ファン２２８および第６ファン２２９は、下キャビネット２の底面に設けられた取付ボス２３１にネジ止め固定されている。取付ボス２３０、２３１に固定された状態において、各冷却ファン２２４〜２２９の両端面と各収容部２０４〜２０９の上面および底面との間には、外部空気を取り込むための隙間が形成されている。
【００８０】
なお、ファンケーシング２０１の後面は、図２（ａ）に示すように、吸気口部材２２によって覆われる。
【００８１】
こうして、各冷却ファン２２４〜２２９が稼働すると、吸気口部材２２を介してキャビネット１内に取り込まれた外部空気が、ファンケーシング２０１の後方から各収容部２０４〜２０９の上下の隙間を通って、各冷却ファン２２４〜２２９の両端面の吸気口２２４ｂ〜２２９ｂから吸い込まれる。
【００８２】
第１ファン２２４から吹き出された冷却風は、第１ダクト２１０を通り、吹出口２１３から緑色用の入射側偏光板１１４および液晶パネル１１３に向かって吹き出される。これにより、入射側偏光板１１４および液晶パネル１１３が冷却される。第２ファン２２５から吹き出された冷却風は、第２ダクト２１１を通り、吹出口２１４から緑色用の出射側偏光板１１５に向かって吹き出される。これにより、出射偏光板１１５が冷却される。第３ファン２２６から吹き出された冷却風は、第３ダクト２１２を通り、吹出口２１５から赤色用の入射側偏光板１２２および液晶パネル１２１に向かって吹き出されるとともに、吹出口２１６から赤色用の出射側偏光板１２３に向かって吹き出される。これにより、入射側偏光板１２２、液晶パネル１２１および出射側偏光板１２３が冷却される。
【００８３】
第４ファン２２７から吹き出された冷却風は、第４ダクト２１７を通り、吹出口２２０からＰＢＳアレイ１０３に向かって吹き出される。これにより、ＰＢＳアレイ１０３が冷却される。第５ファン２２８から吹き出された冷却風は、第５ダクト２１８を通り、吹出口２２１から青色用の入射側偏光板１０９および液晶パネル１０８に向かって吹き出される。これにより、入射側偏光板１０９および液晶パネル１０８が冷却される。第６ファン２２９から吹き出された冷却風は、第６ダクト２１９を通り、吹出口２２２から青色用の出射側偏光板１１０に向かって吹き出される。これにより、出射偏光板１１０が冷却される。
【００８４】
プリズムユニット１６では、変調の際に吸収される光量の関係から、緑色用の変調部（液晶パネル１１３、入射側偏光板１１４、出射側偏光板１１５）の発熱量が最も多くなる。次いで、青色用の変調部（液晶パネル１０８、入射側偏光板１０９、出射側偏光板１１０）の発熱量が多くなる。これらの変調部の発熱量に比べ、赤色用の変調部（液晶パネル１２１、入射側偏光板１２２、出射側偏光板１２３）の発熱量は少なくなる。液晶パネル１０８、１１３、１２１、や入射側偏光板１０９、１１４、１２２に比べると、出射側偏光板１１０、１１５、１２３の発熱量が多くなる。このように、各変調部によって、その発熱量が異なることとなる。
【００８５】
本実施の形態では、第２ファン２２５および第３ファン２２６の印加電圧が互いに等しくされている。これは、これら２つの冷却ファン２２５、２２６に求められる風量に大きな差がないからである。また、第１ファン２２４、第５ファン２２８および第６ファン２２９への印加電圧が互いに等しくされている。これは、これら３つの冷却ファン２２４、２２８、２２９に求められる風量に大きな差がないからである。
【００８６】
そして、第２ファン２２５、第３ファン２２６および第４ファン２２７の印加電圧が、第１ファン２２４、第５ファン２２８および第６ファン２２９の印加電圧に比べて高く設定されている。第２ファン２２５の印加電圧が高くされているのは、緑色用の出射側偏光板１１５の発熱量が最も大きく、風量を多くする必要があるためである。第３ファン２２６の風量が多くされているのは、赤色用の変調部については、入射側偏光板１２２、液晶パネル１２１および出射側偏光板１２２を、第３ファン２２６一つのみよって冷却するため、風量を多くする必要があるためである。
【００８７】
なお、第４ファン２２７の印加電圧は、第２ファン２２５および第３ファン２２６と等しくされている。これは、ＰＢＳアレイ１０３まで延びる第４ダクト２１７は他の通風ダクトより長く、圧力損失が大きいためである。
【００８８】
以上の説明したように、本実施の形態では、赤色用の変調部に対しては第３ファン２２６から冷却風が送られ、緑色用の変調部に対しては第１ファン２２４および第２ファン２２５から冷却風が送られ、青色用の変調部に対しては第５ファン２２８および第６ファン２２９から冷却風が送られる。このように、本実施の形態では、各変調部に、それぞれ、個別の冷却ファンから冷却風が送られるような構成とされている。このため、各変調部の発熱量に応じて、各冷却ファン２２４、２２５、２２６、２２８、２２９の風量を設定することができる。よって、騒音や消費電力を低減しつつ、プリズムユニット１６を良好に冷却することができる。
【００８９】
また、本実施の形態では、緑色用の変調部については、入射側偏光板１１４および液晶パネル１１３に向けられた吹出口２１３に対して第１ファン２２４から送風され、出射側偏光板１１５に向けられた吹出口２１４に対して第２ファン２２５から送風される構成とされている。よって、発熱量が最も多くなる緑色用の変調部に対して、十分な風量が確保でき、かかる変調部を十分に冷却できる。また、入射側偏光板１１４および液晶パネル１１３の発熱に応じて第１ファン２２４の風量を設定するとともに、出射側偏光板１１５の発熱量に応じて第２ファン２２５の風量を設定することにより、これらの光学素子を効率的に冷却できる。
【００９０】
同様に、青色用の光学素子についても、入射側偏光板１０９および液晶パネル１０８に向けられた吹出口２２１に対して第５ファン２２８から送風され、出射側偏光板１１０に向けられた吹出口２２２に対して第６ファン２２９から送風される構成とされている。よって、発熱量が緑色用の変調部に次いで多くなる青色用の変調部に対しても、十分な風量が確保でき、かかる変調部を十分に冷却できる。また、入射側偏光板１０９および液晶パネル１０８の発熱に応じて第５ファン２２８の風量を設定するとともに、出射側偏光板１１０の発熱量に応じて第６ファン２２９の風量を設定することにより、これらの光学素子を効率的に冷却できる。
【００９１】
また、緑色用（青色用）の変調部に対する２つの吹出口２１３、２１４（２２１、２２２）に、個別のダクトを通じて一つの冷却ファンから送風される構成とした場合には、大きな冷却ファンが必要となる。冷却ファンが大きくなると、その吹出口も大きくなる。このため、冷却ファンの吹出口と各吹出口２１３、２１４（２２１、２２２）の開口面積の差が大きくなる。こうなると、冷却ファンから各吹出口２１３、２１４（２２１、２２２）までの各風路の絞り量が大きくなるため、圧力損失が大きくなり、冷却ファンの送風効率が悪くなる。
【００９２】
本実施の形態では、緑色用（青色用）の変調部に対する各吹出口２１３、２１４（２２１、２２２）に、それぞれ一つの冷却ファン２２４、２２５（２２８、２２９）から送風される構成としているため、個々の冷却ファン２２４、２２５（２２８、２２９）を小さくすることができる。これにより、冷却ファンファン２２４、２２５（２２８、２２９）の吹出口ファン２２４ａ、２２５ａ（２２８ａ、２２９ａ）と各吹出口２１３、２１４（２２１、２２２）の開口面積の差を小さくできるので、各冷却ファン２２４、２２５（２２８、２２９）の送風効率を良くすることができる。
【００９３】
なお、上記実施の形態では、６つの冷却ファン２２４〜２２９が求められる風量の近い２つグループに分けられ、それぞれのグループに印加電圧が設定されている。しかし、これに限られず、たとえば、６つの冷却ファン２２４〜２２９が、求められる風量に応じて３つ以上のグループに分けられて、グループ毎に印加電圧が設定されてもよい。あるいは、６つの冷却ファン２２４〜２２９の全てに対し個々に印加電圧が設定されてもよい。
【００９４】
また、プリズムユニット１６の各光学素子やＰＢＳアレイ１０３の温度を検出し、検出された温度に基づいて、各冷却ファン２２４〜２２９の印加電圧を変えるようにしてもよい。このようにすれば、更なる騒音の低減と消費電力の低減を図ることが可能となる。
【００９５】
さらに、上記実施の形態では、吹出口２１５、２１６の双方に１つの冷却ファン（第３ファン）を対応させているが、各吹出口２１５、２１６にそれぞれ１つの冷却ファンを対応させるようにしてもよい。また、必要に応じて、各変調部の少なくとも１つに、３つ以上の冷却ファンを対応させるようにしてもよい。
【００９６】
＜ランプユニットの冷却構造＞
図１０から図１４は、ランプユニット１３の冷却構造について説明するための図である。図１０（ａ）は、後方から見たランプユニット１３の斜視縦断面図である。図１０（ｂ）は、前方から見たランプユニット１３の斜視横断面図である。図１１は、前方から見たランプユニット１３の斜視図である。図１２（ａ）、（ｂ）は、それぞれ、ランプユニット１３の左側面図および背面図である。図１３（ａ）、（ｂ）は、それぞれ、ランプユニット１３の上面図および底面図である。図１４は、ランプユニット１３にファンユニット１５が接続された状態を示す正面図である。なお、図１４では、ファンユニット１５の内部に配された冷却ファン５０１、５０２が見えるよう、ハウジング５０３の概略の外形が点線にて示されている。
【００９７】
これらの図を参照して、ランプユニット１３は、光源ランプ３００と、光源ランプ３００を保持するためのランプホルダ４００とで構成されている。
【００９８】
光源ランプ３００は、発光管３０１とリフレクタ３０２とを備えている。発光管３０１には、メタルハライドランプが用いられている。その他、超高圧水銀ランプ、キセノンランプ等のランプを用いることもできる。リフレクタ３０２は、内面が放物面形状を有し、発光管３０１から発せられた白色光を内面で反射して前方へ向かわせる。
【００９９】
リフレクタ３０２の後端部には、発光管３０１をリフレクタ３０２に対して固定するため、石膏等からなるレフベース３０３が設けられている。発光管３０１は、レフベース３０３の内側位置にシール部３０４を有している。
【０１００】
ランプホルダ４００は、ホルダ本体４０１と、ホルダ本体４０１の上面後端に装着された上面板４０２と、ホルダ本体４０１の底面後端に装着された底面板４０３とを備えている。
【０１０１】
ホルダ本体４０１の前面には、光源ランプ３００からの光が出射される出射窓４０４が形成されている。出射窓４０４には、耐熱性のガラス板４０５が嵌め込まれている。ホルダ本体４０１は後面が開口しており、この開口部に後方から光源ランプ３００が装着される。
【０１０２】
ホルダ本体４０１の前部の両側には、ガイド片４０６が形成されている。下キャビネット２には、ランプユニット１３の収容位置に、縦長のガイド溝を有するガイド体（図示せず）が設けられており、ランプユニット１３が下キャビネット２に収容される際、ガイド片４０６がガイド溝に上方から嵌め込まれる。
【０１０３】
ホルダ本体４０１の上面には、第１吹出口４０７が形成されている。第１吹出口４０７には、後方に向かって下方に傾斜する第１風向板４０８が設けられている。また、ホルダ本体４０１の底面には、第２吹出口４０９が形成されている。第２吹出口４０９には、後方に向かって上方に傾斜する第２風向板４１０が設けられている。ホルダ本体４０１の右側面および左側面には、それぞれ排気口４１１、４１２が形成されている。排気口４１１、４１２には、発光管３０１が万一破損したときに、その破片が外部に飛び出さないよう、メッシュ状のフィルタ４１１ａ、４１２ａが設けられている。
【０１０４】
上面板４０２には、レフベース３０３の略真上の位置に、第３吹出口４１３が形成されている。また、底面板４０３には、レフベース３０３の略真下の位置に、第４吹出口４１４が形成されている。
【０１０５】
ファンホルダ４００の上面には、上部ダクト４１５が装着されている。上部ダクト４１５は、図１３（ａ）に示すように、平面視で略Ｔ字状を有し、右側面側の入口４１５ａから取り込んだ冷却風を、第１吹出口４０７と第３吹出口４１３とに導く。一方、ファンホルダ４００の底面には、下部ダクト４１６が装着されている。下部ダクト４１６は、図１３（ｂ）に示すように、平面視で略Ｔ字状を有し、右側面側の入口４１６ａから取り込んだ冷却風を、第２吹出口４０９と第３吹出口４１４とに導く。
【０１０６】
なお、上部ダクト４１５内の第１吹出口４０７の近傍および下部ダクト４１６内の第２吹出口４０９の近傍にも、発光管３０１が万一破損したときに、その破片が外部に飛び出さないよう、メッシュ状のフィルタ４１５ｂ、４１６ｂが設けられている。
【０１０７】
図１４に示すように、ファンユニット１５は、２つの冷却ファン５０１、５０２が上下２段に積まれた状態でハウジング５０３内に配されている。ランプユニット１３が下キャビネット２内に装着されると、上部ダクト４１５の入口４１５ａがハウジング５０３の上部出口５０４に接続され、下部ダクト４１６の入口４１６ａがハウジングの下部出口５０５に接続される。
【０１０８】
こうして、冷却ファン５０１、５０２が稼動すると、各冷却ファン５０１、５０２で生起された冷却風が、それぞれ上部ダクト４１５および下部ダクト４１６に流入する。
【０１０９】
図１０（ａ）、（ｂ）には、冷却風の流れが矢印で示されている。上部ダクト４１５内を流れる冷却風は、ダクト内で分流され、前方と後方に流れる。前方に流れた冷却風は、フィルタ４１５ｂを通って第１吹出口４０７からホルダ本体４０１の内部に吹き出し、第１風向板４０８に当たって向きを変え、リフレクタ３０２の内側に流入する。また、下部ダクト４１６内を流れる冷却風は、ダクト内で分流され、前方と後方に流れる。前方に流れた冷却風は、フィルタ４１６ｂを通って第２吹出口４０９からホルダ本体４０１の内部に吹き出し、第２風向板４１０に当たって向きを変え、リフレクタ３０２の内側に流入する。これら上下両側からリフレクタ３０２に流入した冷却風により、リフレクタ３０２の内側が冷却される。その後、リフレクタ３０２内の冷却風は、フィルタ４１１ａ、４１２ａを通り、排出口４１１、４１２からランプユニット１３の外部に排出される。
【０１１０】
一方、上部ダクト４１５内を後方に流れた冷却風は、第３吹出口４１３から吹き出し、光源ランプ３００のレフベース３０３に上方から当たる。また、下部ダクト４１６内を後方に流れた冷却風は、第４吹出口４１４から吹き出し、光源ランプ３００のレフベース３０３に下方から当たる。これにより、レフベース３０３が上下両側から冷却され、レフベース３０３を介してシール部３０４が冷却される。
【０１１１】
ランプユニット１３から出た冷却風は、前述のように、排気ファン２５によってキャビネット１の外部に排出される。
【０１１２】
光源ランプ３００は、重力の影響により、発光時に上部側が下部側に比べて高温となる。プロジェクタが据置き設置された場合、ランプユニット１３は、図１０（ａ）に示す状態となり、光源ランプ３００の上部ダクト４１５側が下部ダクト４１６側に比べて高温となる。一方、プロジェクタが天吊り設置された場合、ランプユニット１３は、図１０（ａ）に示す状態とは逆さまになり、光源ランプ３００の下部ダクト４１６側が上部ダクト４１５側に比べて高温となる。
【０１１３】
本実施の形態では、上部ダクト４１５および下部ダクト４１６により分流した冷却風を、リフレクタ３０２の内側に上下両方向から導入するようにしているので、プロジェクタが据置き設置されても天吊り設置されても、光源ランプ３００の高温部分を的確に冷却することができる。
【０１１４】
なお、プロジェクタが据置き設置された場合には、光源ランプ３００の上部ダクト４１５側をより良く冷却するため、上部ダクト４１５に送風する冷却ファン５０１の風量を下部ダクト４１６に送風する冷却ファン５０２の風量より多くすることが望ましい。一方、プロジェクタが天吊り設置された場合には、光源ランプ３００の下部ダクト４１６側をより良く冷却するため、冷却ファン５０２の風量を冷却ファン５０１の風量より多くすることが望ましい。
【０１１５】
また、光源ランプ３００において、シール部３０４は、発光管３０１が発光すると、発光管３０１の発熱により高温となる。シール部３０４は、あまり高温になると劣化し、これによって光源ランプ３００の性能が低下する惧れがある。シール部３０４は、リフレクタ３０２の内面から離れた位置にあるため、リフレクタ３０２の内側に導入された冷却風によっては十分に冷却できない。冷却風の風量を多くして冷却能力を高めることも考えられるが、こうすると、発光管３０１が過冷却となってしまい、正常に発光しない惧れが出てくる。
【０１１６】
本実施の形態では、上部ダクト４１５および下部ダクト４１６により分流した冷却風を、レフベース３０３に上下両方向から直接吹きつけるようにしているので、レフベース３０３全体が良く冷却され、レフベース３０３を介してシール部３０４が良く冷却される。よって、シール部３０４の劣化による光源ランプ３００の性能低下を防止することができる。
【０１１７】
＜プリズム用カバーおよびランプ用カバーの取付構造＞
図１５は、プリズム用カバー１０およびランプ用カバー１１を外した状態の上キャビネット３の斜視図である。
【０１１８】
上キャビネット３には、中央部から右側面に亘って、プリズム用カバー１０およびランプ用カバー１１が装着される凹部６０１が形成されている。凹部６０１は、プリズム用カバー１０が装着される第１の領域６０１ａとランプ用カバー１１が装着される第２の領域６０１ｂを有する。
【０１１９】
第１の領域６０１ａには、プリズム用開口６０２が形成されている。プリズム用開口６０２は、下キャビネット２内に配されたプリズムユニット１６の略真上に位置し、プリズムユニット１６が出し入れ可能な大きさを有する。
【０１２０】
第１の領域６０１ａにおいて、前後の壁面には、それぞれ二か所ずつにガイドリブ６０３が形成されている。ガイドリブ６０３と凹部６０１の底面との間には所定の隙間が設けられている。また、左側の壁面には、二か所に差込孔６０４が形成されている。さらに、第１の領域６０１ａの右端中央部には、ナット６０５が上向きに埋め込まれており、そのネジ孔が上方に臨んでいる。
【０１２１】
第２の領域６０１ｂには、ランプ用開口６０６が形成されている。ランプ用開口６０６は、下キャビネット２内に配されたランプユニット１３の略真上に位置し、ランプユニット１３が出し入れ可能な大きさを有する。ランプ用開口６０６の前縁部と後縁部には、一対のカイド部６０７が形成されている。ガイド部６０７は、横方向に所定の間隔で並ぶ２つのリブからなり、ランプユニット１３を下キャビネット２内に収容する際、ランプホルダ４００のガイド片４０６が２つのリブの間に案内される。
【０１２２】
第２の領域６０１ｂにおいて、ランプ用開口６０６とその左右の部分は、第１の領域６０１ａよりも一段低く凹んでいる。第１の領域６０１との段差により形成された壁面には、二か所に差込孔６０８が形成されている。
【０１２３】
第２の領域６０１ｂには、前縁部および後縁部に、それぞれ、左右に延びるガイド溝６０９が形成されている。これらガイド溝６０９の側面には、左右に細長いガイド孔６０９ａが形成されている。また、これらガイド溝６０９の略中央の外側の位置には、ランプ用カバー１１の軸部８０８を通すための開口６０９ｂが形成されている。
【０１２４】
また、第２の領域６０１ｂの右端部には、ナット６１０が横向きに埋め込まれており、そのネジ孔が凹部６０１側面の取付孔６１１から側方に臨んでいる。右端部には、また、上キャビネット３を下キャビネット２に固定する際にネジ止めされる取付孔６１２が形成されている。さらに、右端部には、左右に延びる溝部６１３が形成されている。溝部６１３の左端部には開口６１３ａが形成されており、ランプ用カバー１１が完全に閉鎖したことを検出するためのマイクロスイッチ（図示せず）が開口６１３ａから溝部６１３に臨む。
【０１２５】
図１６は、プリズム用カバー１０の構成を示す図である。図１６（ａ）は、プリズム用カバー１０を表側から見た斜視図であり、図１６（ｂ）は、プリズム用カバー１０を裏側から見た斜視図である。
【０１２６】
プリズム用カバー１０は、四角形に形成されており、凹部６０１の深さと略同じ厚みを有する。プリズム用カバー１０の左端部には、二か所に突起７０１が形成されている。また、右端部の略中央には、取付孔７０２ａを有する取付片７０２が設けられている。
【０１２７】
プリズム用カバー１０の裏面には、プリズム用開口６０２等からの不要輻射を抑制するため、金属製のシールド板７０３が装着されている。また、プリズム用カバー１０の前端部および後端部には、左右に延びる被ガイドリブ７０４が形成されている。
【０１２８】
図１７は、ランプ用カバー１１の構成を示す図である。図１７（ａ）は、ランプ用カバー１１を表側から見た斜視図であり、図１７（ｂ）は、ランプ用カバー１１を裏側から見た斜視図である。
【０１２９】
ランプ用カバー１１は、上面板８０１と側面板８０２とで構成されている。上キャビネット３の上面は、図１に示すように、中央から左右に向かうに従って低くなるような、なだらかな湾曲形状を有しており、上面板８０１も、上キャビネット３の上面形状に合わせて、側面板側８０２に向って緩やかに傾斜している。
【０１３０】
上面板８０１の裏面には、金属製のシールド板８０３が設けられている。シールド板８０３は、上面板８０１の裏面からやや張り出すように形成された保持部８０４に装着されており、ランプ用カバー１１が上部キャビネット３に装着された際、ランプ用開口６０６を覆う。シールド板８０３は、ランプ用開口６０６からの不要輻射を抑制するとともに、ランプユニット１３（光源ランプ３００）で発生した熱からランプ用カバー１１を保護する。保持部８０４の左端部には、二か所に突起８０５が形成されている。
【０１３１】
上面板８０１の裏面において、前端部および後端には、それぞれ支持リブ８０６が形成されている。支持リブ８０６は、左端部から右端部にかけて、途中一部が途切れた状態で形成されており、上面板８０１が傾斜しているため、側面板８０２側ほど高さが低くなっている。支持リブ８０６は、ランプ用カバー１１が上部キャビネット３に装着された際、凹部６０１底面に対して上面板８０１を支える（図１８（ｂ）参照）。
【０１３２】
上面板８０１の裏面には、また、前端部および後端部にアーム部８０７が形成されている。アーム部８０７は、先端側が側面板８０２側に曲がった形状を有しており、先端部には外側に向けて軸部８０８が形成されている。また、アーム部８０７には、その先端側と並行に延びるストッパー部８０９が形成されている（図２０参照）。
【０１３３】
上面板８０１の裏面には、さらに、上キャビネット３の溝部６１３に収容されるリブ８１０が形成されている。ランプ用カバー１１が完全に閉じられたとき、リブ８１０によってマイクロスイッチが押される。これにより、マイクロスイッチがオンして、ランプ用カバー１１が完全に閉じたことが検出される。
【０１３４】
側面板８０２には、取付孔８１１が形成されている。
【０１３５】
こうして、プリズム用カバー１０を上キャビネット３に装着する際には、プリズム用カバー１０が第１領域６０１ａの右端から凹部６０１内に収容され、左方向にスライドされる。このとき、図１８（ａ）に示すように、ガイドリブ６０３と凹部６０１の底面との隙間に被ガイドリブ７０４が収容される。これにより、プリズム用カバー１０の上方への動きが規制される。
【０１３６】
プリズム用カバー１０が完全に閉じられると、突起７０１が凹部６０１の差込孔６０４に差し込まれる。これにより、プリズム用カバー１０の左端部が上方に浮きにくくなる。また、プリズム用カバー１０の取付孔７０２ａがナット６０５のネジ孔に整合する。こうして、ナット６０５にネジ止めされることにより、プリズム用カバー１０が上キャビネット３に固定される。
【０１３７】
次に、ランプ用カバー１１を、上キャビネット２に装着する際には、図１８（ｂ）に示すように、アーム部８０７が上方からカイド溝６０９内に収容されて軸部８０８がカイド孔６０９ａに挿入される。このとき、軸部８０８は開口６０９ｂからガイド孔６０９ａに挿入される。その後、ランプ用カバー１１が左側にスライドされる。軸部８０８はガイド孔６０９ａに沿って左側に移動する。このとき、カイド孔６０９に挿入された軸部８０８と支持リブ８０６によって、ランプ用カバー１１の上方への動きが規制される。
【０１３８】
ランプ用カバー１１が完全に閉じられると、ランプ用カバー１１の左端部がプリズム用カバー１０の右端部の上に重畳される。これにより、プリズム用カバー１０のネジがランプ用カバー１１で隠される。また、ランプ用カバー１１の突起８０５が、凹部６０１の差込孔６０８に差し込まれる。これにより、ランプ用カバー１１の左端部が上方に浮きにくくなる。さらに、ランプ用カバー１１の取付孔８１１がナット６１０のネジ孔に整合する。こうして、ナット６１０にネジ止めされることにより、ランプ用カバー１１が上キャビネット３に固定される。
【０１３９】
このようにして、図１に示すように、上キャビネット３にプリズム用カバー１０とランプ用カバー１１の双方が装着された状態となる。
【０１４０】
さて、ランプユニット１３（光源ランプ３００）およびプリズムユニット１６は、長時間の運転により劣化する。このような場合には、これらを新しいものに交換する必要がある。なお、ランプユニット１３は、プリズムユニット１６に比べて劣化しやすく、ランプユニット１３の交換頻度は、プリズムユニット１６の交換頻度よりも多くなる。
【０１４１】
ランプユニット１３を交換する場合には、ランプ用カバー１１を開けて、ランプ用開口６０６からランプユニット１３を出し入れする。ランプユニット１３の交換は、ユーザ自身が行うことができる。
【０１４２】
図１９は、ランプ用カバー１１が開けられた状態を示す図である。図１９（ａ）は、ランプ用カバー１１が途中まで開けられた状態を示し、図１９（ｂ）は、ランプ用カバー１１が完全に開けられた状態を示す。図２０は、ランプ用カバー１１が開けられた際のランプ用カバー１１の動きについて説明するための要部の断面図である。
【０１４３】
ランプユニット１３を交換する場合、ユーザは、ネジを外してランプ用カバー１１を右方向にスライドさせる。図１９（ａ）に示すように、ランプ用開口６０６が徐々に開放される。このとき、図２０の破線で示すように、軸部８０８がガイド孔６０９ａ内を右方向に移動する。
【０１４４】
軸部８０８がガイド孔６０９ａの右端に到達すると、ランプ用カバー１１が、これ以上スライドできなくなる。このときは、まだ、ランプ用開口６０６の右端部分がランプ用カバー１１で覆われた状態となっている。
【０１４５】
次に、ユーザは、上キャビネット３から右側にはみ出したランプ用カバー１１の部分を下方へ押す。すると、図２０の実線で示すように、ランプ用カバー１１は軸部８０８を中心に回動する。このとき、支持リブ８０６は、図１７（ｂ）に示すようにアーム部８０７の周りで途切れているため、ランプ用カバー１１が回動する際、支持リブ８０６が上キャビネット３の角に当たることがない。
【０１４６】
こうして、図１９（ｂ）に示すように、ランプ用カバー１１は、上キャビネット３の右側面に沿うように立てられ、ランプ用開口６０６が完全に開放する。このとき、図２０に示すように、ストッパー部８０９が上キャビネット３の右側面に当接する。
【０１４７】
図２０に示すように、ガイド孔６０９ａの右端部分には、山形の突起６０９ｃが孔の下側に形成されている。突起６０９ｃの高さはわずかであり、ランプ用カバー１１のスライド時に少し力を加えれば、軸部８０８が突起６０９ｃを乗り越えてガイド孔６０９ａの右端に達する。この状態において、軸部８０８は突起６０９ａにより左側を支えられる。これにより、軸部８０８が回転しやすくなるため、ランプ用カバー１１がスムーズに回動できるようになる。
【０１４８】
ランプ用開口６０６が完全に開放されると、ユーザは、ランプ用開口６０６から劣化したランプユニット１３を取り出す。そして、新しいランプユニット１３をランプ用開口６０６から下キャビネット２内に収容する。こうして、開放時とは反対の作業により、ランプ用カバー１１を閉じ、ネジを締めて上キャビネット３に固定する。
【０１４９】
プリズムユニット１６を交換する場合には、プリズム用カバー１０を開けて、プリズム用開口６０２からプリズムユニット１６を出し入れする。プリズムユニット１６の交換は、サービスマンにより行われる。
【０１５０】
図２１は、プリズム用カバー１０が開けられた状態を示す図である。図２１（ａ）は、プリズム用カバー２１が途中まで開けられた状態を示し、図２１（ｂ）は、プリズム用カバー１０が全部開けられた状態を示す。
【０１５１】
プリズムユニット１６を交換する場合、サービスマンは、まず、上記の手順で、ランプ用カバー１１を開放する。次に、ネジを外してプリズム用カバー１０を右方向にスライドさせる。このとき、図２１（ａ）に示すように、プリズム用カバー１０は、ランプ用カバー１１が開放されることによりできた凹部６０１のスペースにスライドする。こうして、図２１（ｂ）に示すように、プリズム用カバー１０が凹部６０１の右端までスライドすると、プリズム用開口６０２が完全に開放される。
【０１５２】
プリズム用開口６０２が完全に開放されると、ユーザは、プリズム用開口６０２から劣化したプリズムユニット１６を取り出す。そして、新しいプリズムユニット１６をプリズム用開口６０２から下キャビネット２内に収容する。こうして、開放時とは反対の作業により、プリズム用カバー１０を閉じ、ネジを締めて上キャビネット３に固定する。そして、最後にランプ用カバー１１を閉じる。
【０１５３】
このように、本実施の形態では、プリズム用カバー１０をスライドすることにより、プリズム用開口６０２を開放することができる。また、ランプ用カバー１１をスライドすることにより、ランプ用開口６０６を開放することができる。よって、プロジェクタを設置したときに、キャビネット１の上方にできるスペースが小さくても、プリズム用開口６０２やランプ用開口６０６を十分に開放することができる。
【０１５４】
また、本実施の形態では、プリズム用カバー１０やランプ用カバー１１をスライドさせるために、これらカバーの両側が上方向に動かないよう強固に固定されるため、プリズム用カバー１０やランプ用カバー１１と上キャビネット３との間に段差が生じ難くい。よって、プロジェクタの美観が損なわれにくい。
【０１５５】
さらに、本実施の形態では、プリズム用カバー１０が開放される際、プリズム用カバー１０が第２の領域６０１ａにスライドされる構成とされている。よって、スライドするプリズム用カバー１０を収容するために、上キャビネット３に別途凹部を形成する必要がなく、上キャビネット３の構成を簡略化することができる。
【０１５６】
なお、この場合、プリズム用カバー１０を開けるためには、ランプ用カバー１１を開ける必要があるが、プリズムユニット１６の交換頻度は、ランプユニット１３の交換頻度に比べて少ないため、作業の負担が少なくて済む。
【０１５７】
さらに、本実施の形態では、ランプ用カバー１１がある程度スライドすると、ランプ用カバー１１が下方に折れ、これによってランプ用開口６０６が完全に開放される。このため、ランプ用カバー１１のスライド量を少なくすることができ、ランプ用カバー１１がスライドしたときのキャビネット１からの張り出し量が抑えられる。よって、ランプ用カバー１１の開閉のために必要なスライド方向のスペースを小さくすることができる。また、ランプ用カバー１１が右端まで開いた状態で、手が当たるなどして上から力が加わっても、ランプ用カバー１１が回動することでその力が吸収されるので、ランプ用カバー１１の破損を防止することができる。
【０１５８】
なお、上記の実施形態では、プリズムユニット１６がキャビネット１の中央部に位置し、ランプユニット１３がキャビネット１の右側面に近傍に位置しているが、プロジェクタの構造によっては、プリズムユニット１６の方が側面に近い位置に配置されることもあり得る。このような場合、プリズム用カバー１１とランプ用カバー１０の構成が上記実施の形態とは逆になる。この場合は、ランプ用カバーを開けるために、プリズム用カバーを開ける必要が出てくるため、作業の負担が多少増える。
【０１５９】
また、プリズム用開口６０２とランプ用開口６０６は、必ずしも独立して配されている必要はなく、これら２つの開口が繋がっていても良い。すなわち、ランプユニット１３とプリズムユニット１６を取り出せるように、ランプユニット１３とプリズムユニット１６の配置領域をカバーする一つの開口がキャビネット１に形成されていても良い。この場合、プリズム用カバー１０とランプ用カバー１１が一つのカバーとして設けられても良い。
【０１６０】
以上、本発明の実施の形態について説明したが、本発明は、上記実施の形態に限定されるものではない。また、本発明の実施の形態も、特許請求の範囲に示された技術的思想の範囲内において、適宜、種々の変更が可能である。
【符号の説明】
【０１６１】
１  キャビネット
５  投写レンズ（投写部）
１０  プリズム用カバー（カバー、第２のカバー）
１１  ランプ用カバー（カバー、第１のカバー）
１３  ランプユニット（光源）
１４  光学系
１６  プリズムユニット（光学部品）
６０２  プリズム用開口（開口、第２の開口）
６０３  ガイドリブ（保持部、第２の保持部）
６０６  ランプ用開口（開口、第１の開口）
６０９  ガイド溝（保持部、第１の保持部））
６０９ａ  ガイド孔（保持部、第１の保持部）
【図１】
0005380694.tif 000002
【図２】
0005380694.tif 000003
【図３】
0005380694.tif 000004
【図４】
0005380694.tif 000005
【図５】
0005380694.tif 000006
【図６】
0005380694.tif 000007
【図７】
0005380694.tif 000008
【図８】
0005380694.tif 000009
【図９】
0005380694.tif 000010
【図１０】
0005380694.tif 000011
【図１１】
0005380694.tif 000012
【図１２】
0005380694.tif 000013
【図１３】
0005380694.tif 000014
【図１４】
0005380694.tif 000015
【図１５】
0005380694.tif 000016
【図１６】
0005380694.tif 000017
【図１７】
0005380694.tif 000018
【図１８】
0005380694.tif 000019
【図１９】
0005380694.tif 000020
【図２０】
0005380694.tif 000021
【図２１】
0005380694.tif 000022